(57)【特許請求の範囲】
【請求項１】
在宅で使用され得る携帯型の輸液ポンプであって、
携帯用電池を駆動電源とし、薬液を所定の流量で送液する構成であり、
電池収納部と、該電池収納部を開閉するために、支軸により前記本体１１と回動自在に軸支された蓋体４２と、
該蓋体４２の側面に露出して設けられ、長手方向であるＪとＫの両スライド方向に摺動可能とされたスライド部材５１と
を備え、
前記スライド部材５１は、前記蓋体４２の側面に沿ってスライド操作される長尺状のスライド部材５１であり、該スライド部材５１にはその内側の前記長手方向に沿って、配置された一対の係合片５２，５３と、これら係合片５２，５３の間に位置するように設けられ、前記スライド方向Ｊ，Ｋと直交する方向であって前記本体１１側に向かって付勢力を発揮する板バネ状の付勢部材５４とを有し、
かつ、前記本体１１の側面であって、前記スライド部材５１が設けられる前記蓋体４２の側面と重なる箇所には、前記スライド部材５１の前記一方向Ｋへの移動により前記係合片５２，５３が当接する係合段部５７，５８と、前記スライド部材５１の前記反対方向Ｊへの移動により前記係合片５２，５３を上昇させることにより前記蓋体４２を前記本体１１から離間させる傾斜段部５５，５６とを備え、
前記蓋体４２を閉じた状態で前記スライド部材５１を前記スライド方向Ｋに摺動させることで、該スライド部材５１の内側に設けられた前記係合片５２，５３と、前記本体１１に設けられた前記係合段部５７，５８係合するとともに、前記本体１１側の係合突起５９が前記付勢部材の先端に設けた係止部５４ａに係止されてロック状態となり、
前記蓋体４２を閉じた状態で前記スライド部材５１をＪ方向に摺動させることで、前記付勢部材の先端に設けた係止部５４ａが上昇して、前記係合突起５９を乗り越えることで、ロック解除状態となる構成とした
ことを特徴とする輸液ポンプ。
【発明の詳細な説明】
【技術分野】
【０００１】
本発明は、体内に薬液を注入するための輸液ポンプに係り、詳しくは、通常は電池を駆動電源とする携帯型ポンプの改良に関するものである。
【背景技術】
【０００２】
患者に対して、時間当たり薬液を決められた量だけ長時間かけて注入する輸液ポンプは広く使用されている。
このような輸液ポンプのうち、例えば、医療機関だけでなく、在宅でも使用できるようにコンパクトに形成したものが知られている（特許文献１参照）。
特許文献１の輸液ポンプは、ローラポンプによる蠕動運動で、輸液チューブから薬液を所定の流速（ｍＬ／ｈ）で注液を行なうようになっている。
【先行技術文献】
【特許文献】
【０００３】
【特許文献１】特表平１１−５０６３５５号公報
【発明の概要】
【発明が解決しようとする課題】
【０００４】
ところで、特許文献１の装置では、回転ローラを駆動する電源として、乾電池を使用しており、装置筐体の裏側に開閉自在の蓋体を設け、該蓋体を開いて乾電池を取り替えることができるようにされているが、乾電池交換に際して、乾電池が取り外しやすくなるような工夫はなされていない。
【０００５】
本発明は上記課題を解消するためになされたものであり、電源としての乾電池交換用の蓋体を確実にシーリングしつつ、該蓋体の開閉を改善した輸液ポンプを提供することを目的とする。
【課題を解決するための手段】
【０００６】
本発明の輸液ポンプは、在宅で使用され得る携帯型の輸液ポンプであって、携帯用電池を駆動電源とし、薬液を所定の流量で送液する構成であり、電池収納部と、該電池収納部を開閉するために、支軸により前記本体と回動自在に軸支された蓋体４２と、該蓋体の側面に露出して設けられ、長手方向であるＪとＫの両スライド方向に摺動可能とされたスライド部材とを備え、前記スライド部材は、前記蓋体の側面に沿ってスライド操作される長尺状のスライド部材であり、該スライド部材にはその内側の前記長手方向に沿って、配置された一対の係合片と、これら係合片の間に位置するように設けられ、前記スライド方向Ｊ，Ｋと直交する方向であって前記本体側に向かって付勢力を発揮する板バネ状の付勢部材とを有し、かつ、前記本体の側面であって、前記スライド部材が設けられる前記蓋体の側面と重なる箇所には、前記スライド部材の前記一方向Ｋへの移動により前記係合片が当接する係合段部と、前記スライド部材の前記反対方向Ｊへの移動により前記係合片を上昇させることにより前記蓋体を前記本体から離間させる傾斜段部とを備え、前記蓋体を閉じた状態で前記スライド部材を前記スライド方向Ｋに摺動させることで、該スライド部材の内側に設けられた前記係合片と、前記本体に設けられた前記係合段部係合するとともに、前記本体側の係合突起が前記付勢部材の先端に設けた係止部に係止されてロック状態となり、前記蓋体を閉じた状態で前記スライド部材をＪ方向に摺動させることで、前記付勢部材の先端に設けた係止部が上昇して、前記係合突起を乗り越えることで、ロック解除状態となる構成としたことを特徴とする。
【０００７】
上記構成によれば、前記スライド操作部を前記一方向と反対の方向にスライドさせるだけで、前記解除付勢部の働きにより、前記蓋体が前記本体から離間されるので、前記シール部材により蓋体が本体に貼りついて開かなくなるという弊害を防止することができる。
【０００８】
上記構成によれば、前記付勢部が、前記スライド方向と直交する方向に付勢力を発生する板バネ状の付勢部材であるので、前記付勢部がバネ力として確実に付勢力を発揮することができる。
【０００９】
上記構成によれば、前記係合部は、前記スライド操作部の前記一方向への移動にともない前記係合片が係合段部に当接するとともに、前記スライド操作部の前記反対の方向への移動にともない傾斜段部を上昇して前記蓋体を前記本体から離間させる構成としているので、前記係合片が前記傾斜段部を上昇して、前記蓋体を確実に前記本体から離間させることができる。
【００１０】
上記構成によれば、前記スライド操作部は、前記蓋体の側面に沿ってスライド操作される長尺状のスライド部材であり、該スライド部材の長手方向に沿って、配置された一対の前記係合片と、これら係合片の間に位置するように設けられ、前記スライド方向と直交する内方に向かって付勢力を発揮する板バネ状の付勢部材を備え、かつ、前記本体の側面であって、前記スライド部材が設けられる前記蓋体側面と重なる箇所には、前記スライド部材の前記一方向への移動により前記係合片が当接する係合段部と、前記スライド部材の前記反対方向への移動により前記係合片を上昇させることにより前記蓋体を前記本体から離間させる傾斜段部とを備えており、前記スライド操作部の移動により、前記蓋体が閉状態から、簡単に開状態とされる動きを、コンパクトな構成で確実に実現できる。
【発明の効果】
【００１１】
本発明によれば、電源としての乾電池交換用の蓋体を確実にシーリングしつつ、該蓋体の開閉を改善した携帯型輸液ポンプを提供することができる。
【図面の簡単な説明】
【００１２】
【図１】本発明の携帯型輸液ポンプの好ましい実施形態を示す概略斜視図である。
【図２】図１の携帯型輸液ポンプのカセット収納部のカバーを開いた様子を示す概略正面図である。
【図３】図１の携帯型輸液ポンプのカセット収納部のカバーを開いて、カセットを収容する様子を示す概略斜視図である。
【図４】図１の携帯型輸液ポンプの底面図である。
【図５】図４のＡ−Ａ線概略断面図である。
【図６】図４のＢ−Ｂ線概略断面図である。
【図７】図１の携帯型輸液ポンプの電池収容部の蓋体を開く状態を示す拡大斜視図である。
【図８】図１の携帯型輸液ポンプの電池収容部の蓋体を閉めて、スライド部材を一方向に移動させた状態を示す拡大斜視図である。
【図９】図１の携帯型輸液ポンプの電池収容部の蓋体を閉めて、スライド部材を反対の方向に移動させた状態を示す拡大斜視図である。
【図１０】図１の携帯型輸液ポンプの電池収容部の蓋体に設けられるスライド部材を裏側から示す斜視図である。
【図１１】図１の携帯型輸液ポンプの電池収容部の蓋体のスライド操作部の係合構成を示す説明図である。
【発明を実施するための形態】
【００１３】
以下に、本発明の好ましい実施形態を、図面を参照して詳しく説明する。
図１は、本発明の携帯型輸液ポンプのカセット収納部のカバー（透明）を閉じた概略斜視図であり、図２はそのカセット収納部のカバーを開いた状態を示す概略正面図、図３は携帯型輸液ポンプのカセット収納部のカバーを開き、カセットを収納した状態を示す概略斜視図である。
これらの図において、携帯型輸液ポンプ１０は、例えば、略矩形の筐体としての本体１１を有している。本体１１は、携帯型輸液ポンプの構成物のケースであり、好ましくは、耐薬品性、耐衝撃性を有する熱可塑性合成樹脂、例えば、ハイインパクトスチロール、やＡＢＳ樹脂で形成されている。幅８０ｍｍ，高さ１３０ｍｍ，厚さ３３ｍｍの大きさで、電池を内蔵した状態で３４０ｇの重さとなっている。
【００１４】
本体１１の上面側のほぼ半分程度の面積を閉めるように、開閉可能なカバー１２を有しており、該カバー１２をヒンジ１３を中心として回動可能として開閉できるようにされている。このカバー１２は、図示しない付勢手段、例えば、ヒンジ１３の軸周りにトーションコイル等を配設することにより常時開方向に付勢されている。カバー１２を閉じて押し込むことにより、本体１１側の図示しないラッチ等に係合されるようになっており、本体１１の側部外縁に突出する解除ボタン１６，１６矢印方向に手指にて押し込むことにより該ラッチ等が解除されるようになっている。
符号１７は操作スイッチであり、図１において横方向にスライドさせることで、「停止（左側）―開始(右側)」の操作をすることができる。符号１８は液晶等で形成した表示部であり、運転状態（開始，停止，設定流量ｍＬ／ｈ）），アイコンでの電池残量，アラームの内容，操作案内等を表示するようになっている。これらの他、図示しないモード選択スイッチ等を備えることができる。操作スイッチ１７が開始位置側にある時は、カバー１２が閉じた状態でロックされた状態となり、カバー１２のロック機能としても作用する。
【００１５】
カバー１２を開くと図２、図３に示すように、カセット収納部１５が露出するようになっている。カセット収納部１２は、本体１１の厚みの約半分程度の寸法で形成された空間であり、この空間であるカセット収納部１５にはカセット２０を、所定位置にセットすることができるようになっている。
【００１６】
図２、図３において、本体１１には、本体１１内に収容される図示しない駆動部としてのモータが設けられている。このモータの出力軸からの駆動力が、図示しないかさ歯車等を介して伝達されることにより、回転駆動される輸液送り部としてのローラポンプのローラヘッド３１が、水平回転するように配置されている。このローラヘッド３１の外周には、例えば、４か所以上のチューブ押圧部が設けられており、ローラヘッド３１の矢印方向の回転により、順次輸液チューブ２１を押圧して、蠕動運動を付与することができる。この蠕動運動により、８０ｍＬ／ｈで２４時間以上の輸液が可能となっている。
図２においてこのローラヘッド３１の上方には第１のスライダ３２と、該第１のスライダ３２に隣接して第２のスライダ３３が配置されている。これらはそれぞれ係止片を備えており、これら係止片は、付勢手段により常時矢印Ｃ方向に付勢されており、後述するカセット２０がセットされる際に矢印Ｄ方向に移動されて、カセット２０を保持するとともに、該カセットに内蔵された可撓性の輸液チューブ２１をローラヘッド３１に対して押圧することができる。
図２において、第２のスライダの右方には下側には、傾斜面３４ａを備える規制部３４と、該規制部３４の下方には水平面から突出する突起部３５とが設けられている。
【００１７】
図３を参照して、カセット２０を説明する。
カセット２０は、合成樹脂で形成された図示のような横長のケース体であり、該ケースの外縁に沿って矢印Ｆ方向から導入され、カセット２０の右端部でほぼＵ字状の曲折されて矢印Ｅ方向に導出されている輸液チューブ（可撓性チューブ）２１を収容するものである。該輸液チューブ２１に対しては、薬液が外部から矢印Ｆ方向に導入され、矢印Ｅ方向に導出され、該矢印Ｅ方向の延長には、接続された留置針などにより患者に輸液されるものである。
なお、カバー１２には切欠き部１９が設けられており、該切欠き部１９から輸液チューブ２１が導出されるようになっている。
また、カセット２０の下部の一端よりには露出部２４が形成されており、該露出部２３はケースの一部を切欠き、輸液チューブ２１の一部を外部に露出させている。この輸液チューブ２１の露出部にローラヘッド３１が押圧されることで、上述したように蠕動運動が付与されるようになっている。
【００１８】
カセット２０は、横に並んで可動部材２２ａに設けられた係合用スリット２２，カセット２０に設けられた係合用スリット２３が設けられており、これら係合用スリット２２，係合用スリット２３はカセット２０のケース体を貫通している。可動部材２２ａのローラヘッド３１と対向する位置の形状は、ほぼ円弧状形状部２２ｂとなっている。係合用スリット２２，２３には、図２で説明した第１のスライダ３２と第２のスライダ３３がそれぞれ入り込むようになっていて、カセット２０を所定位置に容易にセットできるようになっている。そして、カバー１２を矢印Ｄ方向に閉じた際には、ヒンジ１３よりも該カバー１２の内側に設けられた当接部１４がカセット２０を押すことにより該カセット２０が矢印Ｄ方向に移動され、各係合用スリット２２，２３に入り込んだ第１のスライダ３２と第２のスライダ３３の付勢方向（図２の矢印Ｃ方向）に働く付勢力に抗して各スライダを矢印Ｄ方向に移動させる。これにより、カセット２０はカバー１２を閉止した状態においては、カバー１２の押圧部１４と各スライダに挟まれて固定されるとともに、可動部材２２ａがローラヘッド３１側に移動することで、ローラヘッド３１と対向する位置で、可動部材２２ａの円弧状形状部２２ｂとローラヘッド３１とが共働して輸液チューブ２１を押圧する。
【００１９】
さらにカセット２０は、縦２５ａ及び横２５ｂに沿って、逆Ｌ字状に規制用スリット２５が形成されている。縦スリット２５ａにはストッパ２６が収容されており、その先端の当接部は付勢手段２６ａにより矢印Ｃ方向に常時押圧されており、カット内の図示しない箇所で、輸液チューブ２１の一部を押しつぶして輸液の流れを止めている。
図３のように、カセット２０を収納してカバー１２を閉じると、カセット２０の横スリット２５ｂには図２で説明した規制部３４が入り込むようになっている。
ここで、規制部３４の傾斜面３４ａは図に置いて、下方に向かって徐々に外方に向かう傾斜段部となっていることから、図３において、ストッパ２６の先端当接部が規制部３４の傾斜面３４ａに当接すると、矢印Ｄ方向に押し込まれる。これにより、ストッパ２６による輸液の流れ止めは解除されるので、輸液チューブ２１は輸液を導入でき、ローラヘッド３１の動きにより送液できるようにされる。
【００２０】
図４は、本体１１の裏面４０を示しており、図５は図４のＡ−Ａ線断面図、図６は図４のＢ−Ｂ線断面図である。
これらの図において、符号４０は輸液ポンプの裏面側を示しており、本体１１の下側ケースである。
裏面側４０の端部よりには、駆動電源としての乾電池を収容するためその底面の一部または略全体が凹状の電池受け部を設けた電池収容部４１が形成されている。本実施形態では、電池収容部４１は、例えば、単三形乾電池２本を並列的に並べて収容できる容積を有しており、図５の蓋体４２を開閉して乾電池の着脱を行うことができるようになっている。電池収容部４１の外周に沿って、図４に示すように、シール手段４１ａが形成されている。なお、単三形乾電池は、繰返し充電可能な充電式乾電池やアルカリ乾電池が用いられる。
【００２１】
このシール手段４１ａは合成樹脂などでなるゴムパッキン等で形成されている。
蓋体４２は、支軸（ヒンジ）４２ａを中心として、矢印Ｇ方向に回動されて閉止され、矢印Ｈ方向に回動されて開放されるようになっている。この蓋体４２は、本体１１のひとつの側面４５に９０度折り返して回り込んだ折り返し部４２ｂを備えており、該折り返し部４２ｂには、後述するスライド操作部を取り付けるためのスリットを形成してスライド操作部の取付け部４２ｃとしている。蓋体４２を閉止した際には、シール手段４１ａにより電池収容部４１は完全に密閉される。
【００２２】
図６に示すように、電池収容部４２の底部４３は、乾電池の長手方向の一端部が傾斜面４４とされている。傾斜面４４は、乾電池の端部に向かう程徐々に深さが増す傾斜面とされている。この傾斜面４４は、本体１１の底面に対して、８〜１２度で傾斜していて、好ましくは、１０度で傾斜し、その長さは、１２〜１８ｍｍ、好ましく１５ｍｍである。傾斜面４４の傾斜角度が１２度より大きいと乾電池Ｂを押した時に本体１１からの乾電池Ｂが飛出しやすくなり、８度より小さいと乾電池Ｂを押した時に本体１１からの乾電池Ｂが殆ど飛び出さない。また、長さが１８ｍｍより大きいと、乾電池Ｂを押した時に本体１１からの乾電池Ｂが殆ど飛び出さず、長さが１２ｍｍより小さいと、乾電池Ｂを押した時に本体１１からの乾電池が飛出しやすくなる。これにより、収容した乾電池Ｂの一端部またはマーカーが記された位置を矢印Ｉの方向にゆっくりと押すと、乾電池Ｂの反対の端部が鎖線に示すように浮き上がり、乾電池Ｂを取り出しやすくなっている。また、傾斜面４４は、電池の外形に合わせた形で凹部を形成している。
【００２３】
次に、蓋体４２の構成例について図７乃至図１１を参照して詳しく説明する。
図７は、蓋体４２を開く状態を示す拡大斜視図、図８は、蓋体４２を閉めて、スライド部材５１を一方向Ｊに移動させた状態を示す拡大斜視図、図９は、蓋体４２を閉めて、スライド部材５１を反対の方向Ｋに移動させた状態を示す拡大斜視図、図１０は蓋体４２に設けられるスライド部材５１を裏側から示す斜視図、図１１は、蓋体４２のスライド部材５１の係合構成を示す説明図である。
【００２４】
図７に示すように、蓋体４２の折り返し部４２ｂには、長手方向に沿ってスライドするスライド部材５１が装着されることにより、スライド操作部５０が設けられている。
スライド操作部５０は、例えば、図１０に示すようなスライド部材５１を含んでいる。すなわち、スライド操作部５０と、図１１に示す係合構成とにより実現することができる。
図１０において、スライド部材５１は全体として扁平な長尺の板状部材であり、表側には、図８、図９に表れているような複数の突起を形成した滑り止部５１ａが形成され、裏側には、係合用の突起類が形成されている。スライド部材５１は、繰返し使用に耐えるように、好ましくは、ＰＯＭ（ポリオキシメチレン；ｐｏｌｙｏｘｙｍｅｔｈｙｌｅｎｅ），一般的にはポリアセタール、アセタール樹脂（ａｃｅｔａｌ  ｒｅｓｉｎ）と呼ばれる、主として（−ＣＨ２Ｏ−）の構造単位からなる結晶性の熱可塑性樹脂で形成されている。スライド部材５１は、好ましくはｐＰＯＭのうち、ホルムアルデヒドの三量体であるトリオキサンにエチレンオキサイドを結合してつくられたコポリマーで形成される。
【００２５】
すなわち、スライド部材５１は、内面に長手方向に沿って、係合部を形成する、第１の係合片５２，第２の係合片５３と、開蓋時に付勢力を発揮する解除付勢部５４とを備えている。すなわち、解除付勢部５４を挟んで同じ形態の係合片５２，５３をその両側に設けることで、一対の係合片としたもので、係合状態が安定するようにされている。係合片５２は、スライド部材５１の厚み方向に突出した突起であり、上向き段部を備えるとともに下側には、下方に向かって徐々に突起厚みを薄くすることで下向きの傾斜段部５２ａを有するように構成されている。
同様に、係合片５３は、スライド部材５１の厚み方向に突出した突起であり、上向き段部を備えるとともに下側には、下方に向かって徐々に突起厚みを薄くすることで下向きの傾斜段部５３ａを有するように構成されている。
【００２６】
スライド部材５１の解除付勢部５４は、板バネ状であり、スライド部材５１のスライド方向と直交する方向Ｌに向かって付勢力を発揮するように、例えば、スライド部材５１と一体に成形されている。具体的にはスライド部材５１の裏面から立ち上がり、該スライド部材５１の長手方向に曲折して延びる帯状の部材であり、先端にはほぼ部分球状に膨出した係止部５４ａを備えている。
【００２７】
図７及び図１１に示すように、本体１１のひとつの側面４５には、上記スライド部材５１の係合突起類と係合する構成が設けられている。
例えば、側面４５には、下向き段部を備え、被係合部を形成する一対の係合段部５７，５８と、これら係合段部５７，５８の間に設けられた係止突起５９を有している。さらに、各係合段部５７，５８に対して、所定間隔をおいて上下方向に徐々に傾斜した一対の傾斜段部５５，５６が形成されている。
【００２８】
本実施形態は以上のように形成されており、スライド部材５１を図８の矢印Ｊで示す一方向に移動（回動軸方向のスライド）させることで、スライド部材５１の各係合片５２、５３の上向き段部は、本体１１の側面４５側の下向きの係合段部５７，５８と係合し、同時に係合突起５９はスライド部材５１側の解除付勢部５４の付勢力に抗して、係止部５４ａと当接して係止されている。これにより、蓋体４２の開蓋がされない（ロック状態）ようになっている。
【００２９】
次いで、スライド部材５１を図９の矢印Ｋで示す反対の方向に移動させることで、スライド部材５１の各係合片５２、５３は、本体１１の側面４５側の下向きの係合段部５７，５８との係合が解除される。続いて、これら係合片５２，５３の各下向きの傾斜段部５２ａ，５３ａは、被係合部を形成する、本体１１の側面４５側の上向きの傾斜段部５５，５６と当接し、回動軸方向のスライド（摺動）による移動にともなって徐々に上昇する。この過程で蓋体４２は次第にせり上がる。この際、解除付勢部５４は、矢印Ｌ方向に働く付勢力により蓋体４２がせり上がることを促進するので、やがて係合突起５９は係止部５４ａを乗り越えて、係合構造が解除（ロック解除状態）され、蓋体４２を開くことができるので、ロック解除部としての機能を果たす。
【００３０】
以上述べたように、蓋体４２を閉止した際には、シール部４１ａにより電池収容部４１は完全にシーリングされる。スライド部材５１の操作により蓋体４２は解除付勢部５４や傾斜段部５５，５６の助けにより容易に開蓋され、該シール部４１ａに貼りついてしまうことがない。
【００３１】
ところで、本発明は上記実施形態に限定されない。
ローラポンプ式の輸液ポンプに限らず、ダイアフラム式輸液ポンプ、シリンジの押子を押すシリンジポンプ等に適用が可能である。
電池収容部４１は本体１１裏面に露出せず側面に露出してもよく、その場合、蓋体の形状は本実施形態とは異なる形態とすることができるが、本実施形態と同様に係合構造を際湯御（？）することができる。
輸液ポンプのカバーの構成やカセットの着脱構造は、上記実施形態の構成に限定されず、種々の形態が採用され得る。
例えば、カセット２０に設けたストッパ２６は、これを本体１１側に設けて、外部に露出させ、カセットを装着した際に、カセット内に入り込んで、チューブを押圧する構成にする等種々の改変が可能である。
また、スライド（摺動）部材側に係合段部や傾斜面を設け、本体側に係合片や解除付勢部を設けて、上述の実施形態と同等の作用を発揮させるようにしてもよい。
また、電池は単三形電池に限らず、単四形電池、ボタン形電池等いずれの乾電池を使用するにも適用可能である。また、ＡＣアダプタ用のジヤックを設けて、ＡＣ電源の使用も可能とすることができる。
【符号の説明】
【００３２】
１０・・・輸液ポンプ、１１・・・本体、１２・・・カバー、２０・・・カセット、２１・・・（輸液）チューブ、３１・・・ローラ、４１・・・電池収容部、４２・・・蓋体、５０・・・スライド操作部、５１・・・スライド部材、５２，５３・・・係合片、５４・・・解除付勢部、５５，５６・・・傾斜段部、５７，５８・・・係合段部、５９・・・係合突起
【図１】
0005571373.tif 000002
【図２】
0005571373.tif 000003
【図３】
0005571373.tif 000004
【図４】
0005571373.tif 000005
【図５】
0005571373.tif 000006
【図６】
0005571373.tif 000007
【図７】
0005571373.tif 000008
【図８】
0005571373.tif 000009
【図９】
0005571373.tif 000010
【図１０】
0005571373.tif 000011
【図１１】
0005571373.tif 000012